(57)【要約】【課題】  バーチャルコンカチネーションを用いた伝送装置において、パス管理数を最小限として、かつ、帯域の無駄を抑えた伝送装置を提供する。【解決手段】  複数のパスに対し、バーチャルコンカチネーションを用いてデータの伝送を行うとともに、前記複数のパスのうち、少なくとも一つのパスの伝送速度が他のパスの伝送速度と異なるパスを有する伝送装置であって、前記複数のパスにデータを分配するデータ分配手段と、該データ分配手段が分配するデータのレートの分配比率を、伝送速度に基づき、整数比として決定する分配比率決定手段とを有する。【選択図】  図６
2006270888.tif 000002
【特許請求の範囲】
【請求項１】
複数のパスに対し、バーチャルコンカチネーションを用いてデータの伝送を行うとともに、前記複数のパスのうち、少なくとも一つのパスの伝送速度が他のパスの伝送速度と異なるパスを有する伝送装置であって、
前記複数のパスにデータを分配するデータ分配手段と、
該データ分配手段が分配するデータのレートの分配比率を、伝送速度に基づき、整数比として決定する分配比率決定手段と
を有することを特徴とする伝送装置。
【請求項２】
前記分配比率決定手段は、前記複数のパスのうち、最低の伝送速度を有するパス以外のパスに分配されるレートを、最低の伝送速度を有するパスに分配されるレートの整数倍となるように分配比率を決定することを特徴とする請求項１に記載の伝送装置。
【請求項３】
前記最低の伝送速度より速い伝送速度を有するパスに対し、分配されたデータにフィクストスタッフバイトを挿入するフィクストスタッフバイト挿入手段を有することを特徴とする請求項２記載の伝送装置。
【請求項４】
前記分配比率決定手段は、各パスの伝送速度に応じて前記分配比率を決定することを特徴とする請求項１に記載の伝送装置。
【請求項５】
前記パスに分配されるデータのレートは、各パスのペイロード一単位のレートであることを特徴とする請求項４に記載の伝送装置。
【発明の詳細な説明】
【技術分野】
【０００１】
本発明は、バーチャルコンカチネーションを用いてデータの伝送を行う伝送装置に関する。
【背景技術】
【０００２】
ＳＯＮＥＴ（登録商標）（Synchronous  Optical  NETwork）／ＳＤＨ（Synchronous  Digital  Hierarchy）に代表される同期網は、従来より電話回線を多重して高速伝送路に複数の電話回線を通す技術として使用されており、基本伝送単位を束ねて高速化する際、通常は３倍、１２倍、４８倍などという単位で伝送速度の高速化が行われている。
【０００３】
一方、インターネットを利用したデータ通信サービスは飛躍的に発展しており、ＳＯＮＥＴ（登録商標）／ＳＤＨ網を利用したデータ伝送サービスも多く使われるようになってきている。このようなデータ伝送のサービスはサービスごとに必要な伝送帯域が異なり、ＳＯＮＥＴ（登録商標）／ＳＤＨ網における占有帯域を細かに設定したいという要求があるため、基本速度とその数倍の速度だけではなく、ある程度自由な帯域設定が出来る手段としてバーチャルコンカチネーションと呼ばれる技術がＩＴＵ−Ｔ（International  Telecommunication  Union  −  Telecommunication  Standardization  Sector）のＧ．７０７／Ｙ．１３２２で標準化された。
【０００４】
図１には、バーチャルコンカチネーションを用いたシステム構成が示されている。このシステムは、データをＳＯＮＥＴ（登録商標）にマッピングして伝送するものであり、複数のＳＯＮＥＴ（登録商標）のパスを束ねて帯域を使用するバーチャルコンカチネーション技術が採用されている。
【０００５】
そして、その構成は、データ接続部１３と、マッピング部１２と、バーチャルコンカチネーション部１０と、ＳＯＮＥＴ（登録商標）フレーマ部１１となっている。
【０００６】
データ接続部１３は、例えばＥｔｈｅｒｎｅｔ（登録商標）などの信号を接続し、ＬＩＮＫ確立、フレーム認識などの処理を行う。現在、ＳＯＮＥＴ（登録商標）へマッピングするデータとしては、１０Ｍ／１００Ｍ／１Ｇ−Ｅｔｈｅｒｎｅｔ（登録商標）の他、Ｆｉｂｒｅ−Ｃｈａｎｎｅｌ、ＥＳＣＯＮ、ＦＩＣＯＮ、ＤＶＤ−ＡＳＩなどのデータが標準で採用されている（Ｇ．７０４１／Ｙ．１３０３）。
【０００７】
マッピング部１２は、受信したデータをＳＯＮＥＴ（登録商標）のペイロードへ入れやすくするための処理を行うものであり、例えばＧＦＰフレームとの相互変換を行う。マッピング部１２には、ＧＦＰの他にHDLC like framingや、ＩＴＵ−Ｔ  Ｘ．８６などの手法を用いることもある。
【０００８】
バーチャルコンカチネーション部１０は、ＩＴＵ−ＴのＧ．７０７／Ｙ．１３２２にのっとって、ＳＯＮＥＴ（登録商標）の複数パスにデータを分配、収集するものである。ＳＯＮＥＴ（登録商標）フレーマ部１１は、各パスのペイロードにＳＯＮＥＴ（登録商標）オーバーヘッドを付加、収集したりＳＯＮＥＴ（登録商標）信号の処理を行う。また、必要に応じて光信号への変換を行い、ＳＯＮＥＴ（登録商標）網に接続する。
【０００９】
以上説明した技術によれば、基本速度の倍数の伝送速度を持つ帯域を自由に設定することが可能となる。
【特許文献１】特開２００２−３４４４４６号公報
【特許文献２】特開２００３−６０６０２号公報
【発明の開示】
【発明が解決しようとする課題】
【００１０】
しかしながら、従来のバーチャルコンカチネーション技術はＳＴＳ−１あるいはＳＴＳ−３ｃの速度で、かつ同一のペイロード容量を持つパス同士でしか結合することができなかった。
【００１１】
したがって、例えば９００Ｍｂ／ｓのデータ転送を行う場合、ＳＴＳ−３ｃ−７ｖ（伝送速度１０４８．３２Ｍｂ／ｓ）またはＳＴＳ１−１９ｖ（９１９．２９６Ｍｂ／ｓ）を選択することになるのだが、ＳＴＳ−３ｃ−７ｖを選択した場合には使用されない帯域が１４８Ｍｂ／ｓにも達して帯域の無駄を生じ、ＳＴＳ１−１９ｖを選択した場合にはパスを１９本も管理しなくてはならないため管理効率の低下を招くという問題を生じていた。
【００１２】
本発明はこのような問題点に鑑み、バーチャルコンカチネーションを用いた伝送装置において、パス管理数を最小限として、かつ、帯域の無駄を抑えた伝送装置を提供することを目的とする。
【課題を解決するための手段】
【００１３】
上記課題を解決するために、本発明は、複数のパスに対し、バーチャルコンカチネーションを用いてデータの伝送を行うとともに、前記複数のパスのうち、少なくとも一つのパスの伝送速度が他のパスの伝送速度と異なるパスを有する伝送装置であって、前記複数のパスにデータを分配するデータ分配手段と、該データ分配手段が分配するデータのレートの分配比率を、伝送速度に基づき、整数比として決定する分配比率決定手段とを有することを特徴とする。
【発明の効果】
【００１４】
本発明によれば、バーチャルコンカチネーションを用いた伝送装置において、パス管理数を最小限として、かつ、帯域の無駄を抑えた伝送装置を提供できる。
【発明を実施するための最良の形態】
【００１５】
以下、本発明の実施の形態について図面に基づいて説明する。図２には、本実施の形態における伝送装置のブロック図が示されている。図２に示されるように、伝送装置は、Cross Connect部１００と、ＳＯＮＥＴ（登録商標） Framer部１０１、１０２と、Ｏ／Ｅ変換１０３、１０４と、Ｅ／Ｏ変換１０５、１０６と、Mappers/Framers部１１０、１１１と、ＬＩＵｓ１１２、１１３と、Mapper部１２０、１２１と、Ethernet（登録商標）/DATA１２２、１２３とで構成される。
【００１６】
Cross Connect部１００は、クロスコネクトスイッチである。Ｏ／Ｅ変換１０３、１０４と、Ｅ／Ｏ変換１０５、１０６は、それぞれ光信号から電気信号、電気信号から光信号への変換を行う。ＳＯＮＥＴ（登録商標） Framer部１０１、１０２は、ＳＯＮＥＴ（登録商標）のフレーマである。ＬＩＵｓ１１２、１１３は、回線インタフェースユニットである。Mappers/Framers部１１０、１１１は、回線に対するマッパとフレーマである。Ethernet（登録商標）/DATA１２２、１２３は、イーサネット（登録商標）のインタフェースである。Mapper部１２０、１２１は、イーサネット（登録商標）のマッパである。
【００１７】
本実施例では、この伝送装置において、入力がＳＯＮＥＴ（登録商標）で、出力がＳＯＮＥＴ（登録商標）以外である場合と、入力がＳＯＮＥＴ（登録商標）以外であり、出力がＳＯＮＥＴ（登録商標）である場合についての説明が行われる。
【００１８】
次に、図３を用いて、伝送装置の基本的なハードウェア構成について説明する。図３に示されるハードウェア構成は、本実施の形態において直接関連する構成のみを示したものである。伝送装置のハードウェア構成は、ＣＰＵ２００と、ｃｌｏｃｋ２０１と、Overhead control部２０２と、ＤＣＣ２０３を含む。
【００１９】
ＣＰＵ２００は、伝送装置全体の制御を行う。ｃｌｏｃｋ２０１は、伝送装置にクロックを供給する。ＤＣＣ２０３は、データ通信チャネルである。Overhead control部２０２は、ＳＯＮＥＴ（登録商標）オーバーヘッドの挿入／抽出／解析を行う。
【００２０】
次に、回線またはイーサネット（登録商標）から入力されたデータをＳＯＮＥＴ（登録商標）に出力する処理について説明する。データが入力されるMappers/Framers部１１０、Mapper部１２０（以下、これらをＭａｐｐｅｒ部６００と表現する）の内部構成について、図４を用いて説明する。
【００２１】
図４には、Ｍａｐｐｅｒ部６００と、ソネットフレーマ部２５０が示されている。ソネットフレーマ部２５０は、図２のＳＯＮＥＴ（登録商標） Framer部１０２に対応し、Cross
Connect部１００は省略されている。
【００２２】
Ｍａｐｐｅｒ部６００は、データ受領部２７１と、選択回路２６０、２６１、２６２、２６３と、順序制御部２７０と、ＳＴＳ−１パス生成部２５１、２５２と、ＳＴＳ−３ｃパス生成部２５３、２５４と、Fixed stuff挿入制御部２５５とを含む。
【００２３】
データ受領部２７１は、分配される元のデータを最終的な排出レートであるバーチャルコンカチネーションの合計レートに従って出力する。順序制御部２７０は、バーチャルコンカチネーションの組合せによって使用される選択回路２６０、２６１、２６２、２６３に順番に決定されたバイト数だけの読み出しの指示を与える。この読み出されるバイト数は、バーチャルコンカチネーションの組合せによって、分配比率決定手段に対応するＣＰＵにより決定される。また、選択回路と順序制御部がデータ分配手段に対応する。
【００２４】
選択回路２６０、２６１、２６２、２６３は、順序制御部２７０から指示があった場合のみＳＴＳ−１パス生成部２５１、２５２と、ＳＴＳ−３ｃパス生成部２５３、２５４にデータを出力する。ＳＴＳ−１パス生成部２５１と、ＳＴＳ−１パス生成部２５２と、ＳＴＳ−３ｃパス生成部２５３と、ＳＴＳ−３ｃパス生成部２５４は、入力されたデータに決められたフォーマットを施し、ＰＯＨ（Pass OverHead）を付与する。これは、ペイロードだけが入力されるので、ＦＩＸを挿入するなどにより、パスオーバーヘッドを付与する処理である。
【００２５】
Fixed stuff挿入制御部２５５は、必要に応じて、Fixed stuffを挿入する。このFixed stuff挿入制御部２５５は、フィクストスタッフバイト挿入手段に対応する。ソネットフレーマ部２５０は、パスを設定された順序でＭＵＸし、光信号として出力する。
【００２６】
次に、ＳＯＮＥＴ（登録商標）側から入力されたデータを回線またはイーサネット（登録商標）に出力する処理について説明する。まず、データが入力されるMappers/Framers部１１１、Mapper部１２１（以下、これらをＭａｐｐｅｒ部６０１と表現する）の内部構成について、図５を用いて説明する。
【００２７】
図５には、Ｍａｐｐｅｒ部６０１と、ソネットデフレーマ部３００が示されている。ソネットデフレーマ部３００は、図２のＳＯＮＥＴ（登録商標） Framer部１０１に対応し、Cross  Connect部１００は、省略されている。
【００２８】
Ｍａｐｐｅｒ部６０１は、ＳＴＳ−１パス終端部３０１、３０２と、ＳＴＳ−３ｃパス終端部３０３、３０４と、Fixed stuff挿入制御部３１０と、パス選択順序制御部３１１と、位相調整部３２０、３２１、３２２、３２３と、選択回路３４０、３４１、３４２、３４３と、データ合成部３５０とを含む。
【００２９】
ソネットデフレーマ部３００は、多重されていた各パスを分離し、設定された順序で各パス終端部へ渡す。ＳＴＳ−１パス終端部３０１、３０２と、ＳＴＳ−３ｃパス終端部３０３、３０４は、ＰＯＨを取り出し、ペイロードを抽出する。Fixed stuff挿入制御部３１０は、必要に応じて、挿入されたFixed stuffを削除する。位相調整部３２０、３２１、３２２、３２３は、ＰＯＨを元にパスごとの到着時間を吸収し、バーチャルコンカチネーションの先頭あわせを行う。
【００３０】
パス選択順序制御部３１１は、バーチャルコンカチネーションの組合せによって使用されるパスを選び、設定されたバイト数を順番に選択回路３４０、３４１、３４２、３４３に対して読み出し指示を与える。選択回路３４０、３４１、３４２、３４３は、パス選択順序制御部３１１からの指示があった場合のみデータを出力する。データ合成部３５０は、選択回路３４０、３４１、３４２、３４３から取り出されたデータを合成し、もとのデータを再生してデータ送信部３５１に出力する。
【００３１】
次に、図６を用いて、最低の伝送速度より速い伝送速度を有するパスに対し、分配されたデータにフィクストスタッフバイトを挿入してデータを伝送する処理について説明する。図６は、データがＳＯＮＥＴ（登録商標）にマッピングされる内容を示し、ＳＴＳ−３ｃ（強制フィクストスタッフバイト）とＳＴＳ−１−２ｖで伝送を行う様子を示す図であり、最大241.92Mb/sのデータ伝送を行う場合を示している。この図６には、データ４００、４０２、４０３、４０４と、ＷＲＲ（Weighted round robin）部４０１と、Fixed Stuff/ POH挿入部４１０、４１１、４１２とが示されている。
【００３２】
データ４００は、入力されるデータであり、241.92Mb/sの伝送速度である。データ４０２は、ＳＴＳ−３ｃで伝送されるデータであり、145.152Mb/sの伝送速度である。データ４０３、４０４は、ＳＴＳ−１で伝送されるデータであり、48.384Mb/sの伝送速度である。ＷＲＲ部４０１は、図４での選択回路とパス生成部である。このＷＲＲ部４０１は、複数の出力先のパスに対して、設定されたレートでデータを分配する手段であり、出力先のパスに対して巡回的にデータを分配する。Fixed Stuff/ POH挿入部４１０、４１１、４１２ではＳＯＮＥＴ（登録商標）のパスを形成するためのデータ生成を行い、ＰＯＨとFixed Stuffに相当するタイミングでそれぞれ必要なオーバーヘッド情報とゼロデータを挿入する。
【００３３】
図６では、各出力先に対して３：１：１のレート設定を行っており入力されたデータは、３バイト、１バイト、１バイトに順次切り分けながら出力先へと出力される。このように、最低の伝送速度を有するＳＴＳ−１のパスに分配されるレートの整数倍となるように分配比率を設定する。
【００３４】
このように、最低の伝送速度を有するＳＴＳ−１のパス以外の、例えばＳＴＳ−３ｃのパスに分配されるレートは、最低の伝送速度を有するＳＴＳ−１のパスに分配されるレートの整数倍となるように分配比率が決定される。
【００３５】
次に、図７を用いてFixed Stuffの挿入方法について説明する。図７には、ＳＴＳ−１  ＳＰＥ（Synchronous  Payload  Envelope）４５１と、ＳＴＳ−３ｃ  ＳＰＥ４５２とが示されている。ＳＴＳ−１  ＳＰＥ４５７は、ＰＯＨ４６０を先頭に有し、２つのFixed Stuff４６１、４６２が挿入されている。また、ＳＴＳ−３ｃ  ＳＰＥ４５２には、ＰＯＨ４６５を先頭に有し、２つのFixed Stuff４６６、４６７が挿入されている。
【００３６】
このように、ＳＴＳ−３ｃ  ＳＰＥ４５２にはＳＴＳ−１で使用されるフィクストスタッフバイトの３倍のフィクストスタッフバイトが挿入されている。そして、このようにＳＴＳ−３ｃ  ＳＰＥ４５２に標準外のFixed Stuffを挿入し、一つのＳＯＮＥＴ（登録商標） Ｆｒａｍｅを生成する時間内で必要とされるペイロード容量を３：１：１の整数比とすることで、ＷＲＲ部４０１から出力されるデータを過不足なくパスに収容することが可能となる。また、回路構成も簡単にすることができる。
【００３７】
次に、図８を用いて、各パスのペイロード一単位のデータ量を伝送する処理について説明する。図８は、ＳＴＳ−３ｃ（通常）＋ＳＴＳ１−２ｖで最大246.528Mb/sのデータ伝送を行う場合を示している。
【００３８】
データ５００は、入力されるデータであり、246.528Mb/sの伝送速度である。データ５０２は、ＳＴＳ−３ｃで伝送されるデータであり、149.76Mb/sの伝送速度である。データ５０３、５０４は、ＳＴＳ−１で伝送されるデータであり、48.384Mb/sの伝送速度である。ＷＲＲ部５０１は、各出力先に対して260：84：84のレート設定を行っており入力されたデータを260バイト、84バイト、84バイトに順次切り分けながら出力先へと出力する。このように、各パスの伝送速度に応じて前記分配比率が決定される。
【００３９】
ＰＯＨ挿入部５０５は、ＳＴＳ−３ｃ５０２にＰＯＨを挿入する。Fixed Stuff/ POH挿入部５０６、５０７ではＳＯＮＥＴ（登録商標）のパスを形成するためのデータ生成を行い、ＰＯＨとFixed Stuffに相当するタイミングでそれぞれ必要なオーバーヘッド情報とゼロデータを挿入する。
【００４０】
このようにペイロード一単位ごとのデータを連続して出力し、一つのＳＯＮＥＴ（登録商標）
Ｆｒａｍｅを生成する時間内で必要とされるペイロード容量を260：84：84の整数比とすることで、ＷＲＲ部５０１から出力されるデータを過不足なくパスに収容することが可能となる。また、回路構成も簡単にすることができる。
【００４１】
なお、受信側では従来のバーチャルコンカチネーションのフレーム合わせを行った後、標準外のFixed Stuffの有無を自動判別してから全く逆の手順によってデータを再生すればよい。
【００４２】
連続して出力されたデータを、図９を用いて説明する。連続データ５５０と、データ列５５１と、ＳＴＳ−３ｃ  ＳＰＥ５５７と、ＳＴＳ−１  ＳＰＥ５５５、５５６とが示されている。
【００４３】
連続データ５５０には、２６０バイト、８４バイト、８４バイト、２６０バイトと連続したデータが示されている。最初の２６０バイトは、ＳＴＳ−３ｃ  ＳＰＥ５５７のデータである。次の８４バイトは、データ列５５１に示されるように、２８バイトの３つのデータとしてのＳＴＳ−１  ＳＰＥ５５５のデータである。そして、次の８４バイトは、２８バイトの３つのデータとしてのＳＴＳ−１  ＳＰＥ５５６のデータである。次の２６０バイトは再びＳＴＳ−３ｃ  ＳＰＥ５５７のデータである。
【００４４】
このように、本実施の形態における伝送装置は、異なる伝送速度を有する複数のパスのペイロード速度を単純な整数比とするようにデータ分配し、簡単な回路で異なる伝送速度を有する複数のパスを結合することができる。
【００４５】
以上説明した本実施の形態によれば、例えば900Mb/sのデータ伝送が必要な場合、図８で説明した処理を適用すれば、ＳＴＳ−３ｃ−６ＶとＳＴＳ−１で実現でき、管理が必要なパス数は７本、必要なＳＯＮＥＴ（登録商標）上のチャネル数はＳＴＳ−１を１９チャネル分となる。
【００４６】
同様に、例えば900Mb/sのデータ伝送が必要な場合、従来ではＳＴＳ−３ｃ−７Ｖを選択すると、パス数は同じ７本が必要となる。しかし、ＳＯＮＥＴ（登録商標）上のチャネル数はＳＴＳ−１を２１チャネル分であり、ＳＴＳ−１を２本余分に必要となる。
【００４７】
また、ＳＴＳ１−１９ｖを選択すると必要とするＳＯＮＥＴ（登録商標）上のチャネル数はＳＴＳ−１が同じ１９チャネル分であるが、管理が必要なパス数は１９本と大幅に多くなる。
【００４８】
このように、本実施の形態によれば、バーチャルコンカチネーションを用いた伝送装置において、パス管理数を最小限として、かつ、帯域の無駄を抑えた伝送装置を提供することができる。
【００４９】
また、本実施例で説明した処理は、速度の異なる複数のパスはＳＴＳ−１２ｃやＳＴＳ−４８ｃなどの、さらに多重された高速のものにでも適用でき、その場合も同じ方法によって複数のパスを仮想的に結合することが出来る。
［付記１］  複数のパスに対し、バーチャルコンカチネーションを用いてデータの伝送を行うとともに、前記複数のパスのうち、少なくとも一つのパスの伝送速度が他のパスの伝送速度と異なるパスを有する伝送装置であって、前記複数のパスにデータを分配するデータ分配手段と、該データ分配手段が分配するデータのレートの分配比率を、伝送速度に基づき、整数比として決定する分配比率決定手段とを有することを特徴とする伝送装置。
［付記２］  前記分配比率決定手段は、前記複数のパスのうち、最低の伝送速度を有するパス以外のパスに分配されるレートを、最低の伝送速度を有するパスに分配されるレートの整数倍となるように分配比率を決定することを特徴とする付記１に記載の伝送装置。
［付記３］  前記最低の伝送速度より速い伝送速度を有するパスに対し、分配されたデータにフィクストスタッフバイトを挿入するフィクストスタッフバイト挿入手段を有することを特徴とする付記２記載の伝送装置。
［付記４］  前記分配比率決定手段は、各パスの伝送速度に応じて前記分配比率を決定することを特徴とする付記１に記載の伝送装置。
［付記５］  前記パスに分配されるデータのレートは、各パスのペイロード一単位のレートであることを特徴とする付記４に記載の伝送装置。
［付記６］  前記データ分配手段は、パスに対して決定されたレートで巡回的にデータを分配することを特徴とする付記１から５のいずれか１項に記載の伝送装置。
［付記７］  前記データ分配手段は、決定されたバイト数のデータをパスに出力するとともに、パスごとに設けられる選択手段と、前記選択手段にデータの出力指示を与える順序制御手段とを有することを特徴とする付記６に記載の伝送装置。
［付記８］  前記選択手段から出力されたデータにＰＯＨを付与するとともに、パスごとに設けられるパス生成手段を有することを特徴とする付記７に記載の伝送装置。
［付記９］  各パス生成手段でＰＯＨが付与されたデータを組み立てるフレーマ手段を有することを特徴とする付記８に記載の伝送装置。
【図面の簡単な説明】
【００５０】
【図１】バーチャルコンカチネーションを用いたシステム構成を示す図である。
【図２】本実施の形態における伝送装置のブロック図である。
【図３】伝送装置のハードウェア構成図である。
【図４】Ｍａｐｐｅｒ部とソネットフレーマを示す図である。
【図５】ソネットデフレーマとＭａｐｐｅｒ部を示す図である。
【図６】ＳＴＳ−３ｃとSTS1-2vで伝送を行う様子を示す図である（その１）。
【図７】Fixed Stuffの挿入方法を示す図である。
【図８】ＳＴＳ−３ｃとSTS1-2vで伝送を行う様子を示す図である（その２）。
【図９】データの分配方法を示す図である。
【符号の説明】
【００５１】
１０  バーチャルコンカチネーション部
１１  ＳＯＮＥＴ（登録商標）フレーマ部
１２  マッピング部
１３  データ接続部
１００  Cross Connect部
１０１、１０２  ＳＯＮＥＴ（登録商標）
Framer部
１０３、１０４  Ｏ／Ｅ変換
１０５、１０６  Ｅ／Ｏ変換
１１０、１１１  Mappers/Framers部
１１２、１１３  ＬＩＵｓ
１２０、１２１  Mapper部
１２２、１２３  Ethernet（登録商標）/DATA
２００  ＣＰＵ
２０１  ｃｌｏｃｋ
２０２  Overhead control部
２０３  ＤＣＣ
２５０  ソネットフレーマ部
２５１、２５２  ＳＴＳ−１パス生成部
２５３、２５４  ＳＴＳ−３ｃパス生成部
２５５、３１０  Fixed stuff挿入制御部
２６０、２６１、２６２、２６３、３４０、３４１、３４２、３４３  選択回路
２７０  順序制御部
２７１  データ受領部
３００  ソネットデフレーマ部
３０１、３０２  ＳＴＳ−１パス終端部
３０３、３０４  ＳＴＳ−３ｃパス終端部
３１１  パス選択順序制御部
３２０、３２１、３２２、３２３  位相調整部
３５０  データ合成部
３５１  データ送信部
４００、４０２、４０３、４０４、５５０、５０２、５０３、５０４、５５０  データ
４０１、５０１  ＷＲＲ部
４１０、４１１、４１２、５０６、５０７  Fixed
Stuff/ POH挿入部
４６０、４６５  ＰＯＨ
４６１、４６２、４６６、４６７  Fixed
Stuff
５０５  ＰＯＨ挿入部
５５１  データ列
５５５、５５６  ＳＴＳ−１  ＳＰＥ
５５７  ＳＴＳ−３ｃ  ＳＰＥ
６００、６０１  Ｍａｐｐｅｒ部
【図１】
2006270888.tif 000003
【図２】
2006270888.tif 000004
【図３】
2006270888.tif 000005
【図４】
2006270888.tif 000006
【図５】
2006270888.tif 000007
【図６】
2006270888.tif 000008
【図７】
2006270888.tif 000009
【図８】
2006270888.tif 000010
【図９】
2006270888.tif 000011